(57)【要約】      （修正有）【課題】反射シートを照明テープの基板上に配置し、灯管の明るさを高め、照明性能を高める照明装置を提供する。【解決手段】照明装置において、灯管１１、灯管内に配置されるベース１２及びベースに配置される照明テープ１３を含み、灯管の一方の側に第１回転コネクタを設け、灯管の他方の側に第２回転コネクタを設け、照明テープの基板上に複数の反射シート１４を設ける。【選択図】図１
2020167134.tif 000002
【特許請求の範囲】
【請求項１】
灯管、前記灯管内に配置されるベース、及び前記ベースに配置される照明テープを含み、
前記灯管の一方の側に第１回転コネクタが設けられ、前記灯管の他方の側に第２回転コネクタが設けられ、前記照明テープの基板上に複数の反射シートが付着していることを特徴とする回転コネクタ及び反射シートを備える照明装置。
【請求項２】
前記照明テープは複数のＬＥＤチップと基板を含み、前記ＬＥＤチップは延伸方向に沿って前記基板上に配列されており、前記複数の反射シートは前記複数のＬＥＤチップの両側に位置しており、前記照明テープは電源に接続されていることを特徴とする請求項１に記載の回転コネクタ及び反射シートを備える照明装置。
【請求項３】
前記灯管は上管部と下管部を含み、前記ベースは前記上管部と前記下管部の間に設けられることを特徴とする請求項１に記載の回転コネクタ及び反射シートを備える照明装置。
【請求項４】
前記ベースは凹溝を含み、前記照明テープは前記凹溝内に位置し、前記複数の反射シートは前記凹溝の外側に面していることを特徴とする請求項１に記載の回転コネクタ及び反射シートを備える照明装置。
【請求項５】
前記ベースは、前記凹溝の両側に配置されるレールを更に含むことを特徴とする請求項４に記載の回転コネクタ及び反射シートを備える照明装置。
【請求項６】
前記第１回転コネクタは長形の回転カバーであり、前記第２回転コネクタは短形の回転カバーであることを特徴とする請求項１に記載の回転コネクタ及び反射シートを備える照明装置。
【請求項７】
前記長形の回転カバーは、第１蓋体、第１回転体、第１弾性部材及び長形のソケット本体を含み、前記第１回転体の内側と前記長形のソケット本体が回転係合し、前記第１弾性部材は前記第１回転体と前記長形のソケット本体の間に位置し、
前記第１蓋体は、前記第１回転体の外側に位置して前記第１回転体と係合することを特徴とする請求項６に記載の回転コネクタ及び反射シートを備える照明装置。
【請求項８】
前記第１回転体は第１の回転係合構造を有し、前記長形のソケット本体は第１の回転掛合構造を有することを特徴とする請求項７に記載の回転コネクタ及び反射シートを備える照明装置。
【請求項９】
前記短形の回転カバーは、第２蓋体、第２回転体、第２弾性部材及び短形のソケット本体を含み、前記第２回転体の内側と前記短形のソケット本体が回転係合し、前記第２弾性部材は前記第２回転体と前記短形のソケット本体の間に位置し、
前記第２蓋体は、前記第２回転体の外側に位置して前記第２回転体と係合することを特徴とする請求項１に記載の回転コネクタ及び反射シートを備える照明装置。
【請求項１０】
前記第２回転体は第２の回転係合構造を有し、前記短形のソケット本体は第２の回転掛合構造を有することを特徴とする請求項９に記載の回転コネクタ及び反射シートを備える照明装置。
【発明の詳細な説明】
【技術分野】
【０００１】
本発明は照明装置に関し、より詳細には、回転コネクタ及び反射シートを備える照明装置に関する。
【背景技術】
【０００２】
日常生活の中で、照明装置は欠かすことのできない日用品である。家庭内や企業では、一般的に長形の照明が使用されている。一般的に、照明装置の照射角度は一方向に固定することができ、照明の向きを調整することによって光源の照明角度を広範囲に広げることができるが、方々の隅っこを明るくすることはできない。
【０００３】
現代人は、省エネを求めるところではあるが、省エネのみならず、高照度も必要としている。さらに、照明装置を容易に分解することができ、メンテナンスできることにも重きを置いている。したがって、高照度で良好な照明効果を発揮し、かつ分解及び組立てが容易な照明装置を設計することが当業者に逼迫の課題となっている。
【０００４】
従来の照明装置を開示する文献として特許文献１がある。特許文献１に開示の線状照明装置は、側面発光型発光体の外周表面の円周方向の一部が、可撓性樹脂シートで被覆された被覆部と、前記可撓性樹脂シートで被覆されずに前記側面発光型発光体の外周表面が露出する開口部と、を具備し、前記可撓性樹脂シートは、光反射特性とクッション性を有する材料からなり、前記被覆部および前記開口部は、それぞれ前記側面発光型発光体の長手方向に平行に連続して形成され、前記被覆部は、前記側面発光型発光体の外周における円周方向の半周を超えるように形成され、前記開口部は、前記側面発光型発光体の外周における円周方向の半周未満の長さに形成されている。
【先行技術文献】
【特許文献】
【０００５】
【特許文献１】特開２０１８−０６０７１９公報
【発明の概要】
【発明が解決しようとする課題】
【０００６】
上記特許文献１に開示の照明装置によれば、より長い発光長を得るかあるいは照度を向上させることができる。
【０００７】
しかしながら、上記特許文献１に開示の照明装置は、ユーザーが容易に分解したり組み立てたりすることができなかった。
【０００８】
本発明の主たる目的は、灯管の明るさを高めることにより照明性能を高めつつ、ユーザーが容易に分解したり組み立てたりできる照明装置を提供することである。
【課題を解決するための手段】
【０００９】
上記問題に鑑みて、本発明の一実施形態の回転コネクタ及び反射シートを備える照明装置は、灯管、前記灯管内に配置されるベース、及び前記ベースに配置される照明テープを含み、前記灯管の一方の側に第１回転コネクタが設けられ、前記灯管の他方の側に第２回転コネクタが設けられ、前記照明テープの基板上に複数の反射シートが貼り付けられている。
【００１０】
本実施形態の回転コネクタ及び反射シートを備える照明装置において、好ましくは、前記照明テープは複数のＬＥＤチップと基板を含み、前記ＬＥＤチップは延伸方向に沿って前記基板上に配列されており、前記複数の反射シートは前記複数のＬＥＤチップの両側に位置しており、前記照明テープは電源に接続されている。
【００１１】
本実施形態の回転コネクタ及び反射シートを備える照明装置において、好ましくは、前記灯管は上管部と下管部を含み、前記ベースは前記上管部と前記下管部の間に設けられる。
【００１２】
本実施形態の回転コネクタ及び反射シートを備える照明装置において、好ましくは、前記ベースは凹溝を含み、前記照明テープは前記凹溝内に位置し、前記複数の反射シートは前記凹溝の外側に面している。
【００１３】
本実施形態の回転コネクタ及び反射シートを備える照明装置において、好ましくは、前記ベースは、前記凹溝の両側に配置されるレールを更に含む。
【００１４】
本実施形態の回転コネクタ及び反射シートを備える照明装置において、好ましくは、前記第１回転コネクタは長形の回転カバーであり、前記第２回転コネクタは短形の回転カバーである。
【００１５】
本実施形態の回転コネクタ及び反射シートを備える照明装置において、好ましくは、前記長形の回転カバーは、第１蓋体、第１回転体、第１弾性部材及び長形のソケット本体を含み、前記第１回転体の内側と前記長形のソケット本体が回転係合し、前記第１弾性部材は前記第１回転体と前記長形のソケット本体の間に位置し、前記第１蓋体は、前記第１回転体の外側に位置して前記第１回転体と係合している。
【００１６】
本実施形態の回転コネクタ及び反射シートを備える照明装置において、好ましくは、前記第１回転体は第１の回転係合構造を有し、前記長形のソケット本体は第１の回転掛合構造を有している。
【００１７】
本実施形態の回転コネクタ及び反射シートを備える照明装置において、好ましくは、前記短形の回転カバーは、第２蓋体、第２回転体、第２弾性部材及び短形のソケット本体を含み、前記第２回転体の内側と前記短形のソケット本体が回転係合し、前記第２弾性部材は前記第２回転体と前記短形のソケット本体の間に位置し、前記第２蓋体は、前記第２回転体の外側に位置して前記第２回転体と係合している。
【００１８】
本実施形態の回転コネクタ及び反射シートを備える照明装置において、好ましくは、前記第２回転体は第２の回転係合構造を有し、前記短形のソケット本体は第２の回転掛合構造を有している。
【発明の効果】
【００１９】
本発明の回転コネクタ及び反射シートを備える照明装置によれば、反射シートが照明テープの基板上に配置されるので、灯管の明るさを高めることができ、照明性能を高めることができる。また線状の照明装置の両端には長型及び短型の照明カバーが設けられているので、ユーザーが容易に分解したり組み立てたりできて非常に有益である。
【図面の簡単な説明】
【００２０】
【図１】本発明の一実施形態の回転コネクタ及び反射シートを備える照明装置を分解した状態の斜視図である。
【図２】本発明の一実施形態の回転コネクタ及び反射シートを備える照明装置を組み立てた後の斜視図である。
【図３】本発明の一実施形態の回転コネクタ及び反射シートを備える照明装置の断面図である。
【図４】本発明の一実施形態の回転コネクタ及び反射シートを備える照明装置の概略断面図である。
【発明を実施するための形態】
【００２１】
本発明の実施形態の詳細な特徴及び利点が、以下の詳細な説明により説明される。本分野における通常の知識を有する者であれば、この発明に関連する目的及び利点を容易に理解することができる。
【００２２】
以下に、特定の実施形態の詳細な説明及び添付図面を参照し、本発明の技術的内容、構造的特徴及び技術的解決策の目的及び効果が詳細に説明される。
【００２３】
図１乃至図４を参照して、本発明の一実施形態の回転コネクタ及び反射シートを備える照明装置１は、照明テープ１３の基板１３２上に反射シート１４が配置されるので、灯管の明るさを高めることができ、照明性能を高めることができる。また線状の照明装置の両端には長型及び短型の照明カバーが設けられているので、ユーザーが容易に分解したり組み立てたりできて非常に有益である。
【００２４】
図１乃至図４を参照して、図１は、本発明の一実施形態の照明装置１を分解した状態の斜視図である。図２は、本発明の一実施形態の照明装置１を組み立てた後の斜視図である。図３は、本発明の一実施形態の照明装置１の断面図である。図４は、本発明の一実施形態の照明装置１の概略断面図である。
【００２５】
本実施形態において、照明装置１は、灯管１１、ベース１２、照明テープ１３、反射シート１４、電源１５、第１回転カバー１６及び第２回転カバー１７を含む。この実施形態では、ベース１２は、灯管１１内に配置され、照明テープ１３は、ベース１２に配置される。ベース１２の長手方向の端面は、図４に示す通り、内向きに折り返されており、この折り返し部分に照明テープ１３を挿入することで、照明テープ１３がベース１２から外れにくくなるようにされている。照明テープ１３は、複数のＬＥＤチップ１３１と基板１３２を含む。ＬＥＤチップ１３１の具体例としてはＬＥＤが挙げられ、基板１３２の具体例としては回路基板が挙げられる。この基板１３２から照明テープ１３を通じてＬＥＤチップ１３１に対して電力が供給されることによりＬＥＤチップ１３１が発光する。
【００２６】
本実施形態では、複数の反射シート１４は、複数のＬＥＤチップ１３１の両側に配置されており、ＬＥＤチップ１３１は延伸方向に沿って基板１３２上に配列されている。ＬＥＤチップ１３１の両側に反射シート１４を設けることで、ＬＥＤチップ１３１の発光効果を高めることができる。ベース１２、照明テープ１３、及び反射シート１４はそれぞれ、長手方向の長さが略同一であることが好ましい。
【００２７】
本実施形態では、電源１５は、灯管１１１内に配置され、照明テープ１３に電気的に接続されている。第１回転コネクタ１６が灯管１１の一方の側に設けられ、第２回転コネクタ１７が灯管１１の他方の側に設けられる。電源１５は、第１回転カバー１６側の灯管１１１内に配置されることが好ましい。この位置に電源１５を配置することで、第１回転カバー１６を取り外したときに電源１５を操作しやすいという利点がある。
【００２８】
本実施形態では、ＬＥＤチップ１３１の両側に２枚の反射シート１４が配置されており、反射シート１４は、照明テープ１３の基板１３２上に配置されている。図１に示すように、ＬＥＤチップ１３１の両側から挟むように２枚の反射シート１４を設けることによりＬＥＤチップ１３１の発光効率を効果的に高めることが可能となる。
【００２９】
本実施形態では、第１回転コネクタ１６は、長形の回転カバーであり、第２回転コネクタ１７は短形の回転カバーである。第１回転コネクタ１６は、第１蓋体１６１、第１回転体１６２、第１弾性部材１６３及び長形のソケット本体１６４を含み、第１回転体１６２の内側と長形のソケット本体１６４が回転係合し、第１弾性部材１６３は第１回転体１６２と長形のソケット本体１６４の間に位置している。第１蓋体１６１は、第１回転体１６２の外側に位置して第１回転体１６２と係合している。このような構造の第１回転コネクタ１６を用いることにより、ドライバやナット等の工具を使用することなく、照明装置１の分解及び組立てがより容易になるという利点がある。特に、第１回転コネクタ１６の近傍には電源１５が取り付けられることになるため、電源１５に不具合が生じたときに手作業で第１回転コネクタ１６が取り付けられることの意義は大きい。
【００３０】
本実施形態において、長形のソケット本体１６４の長手方向の断面形状は円形であり、当該円形の半径は灯管１１の長手方向の断面形状の略円形の半径よりも僅かに大きく設計されている。このため、図２及び図４に示す通り、長形のソケット本体１６４に対して灯管１１がきっちりと嵌め込まれるようになっている。
【００３１】
本実施形態では、第１回転体１６２は、第１の回転係合構造１６２１を有し、長形のソケット本体１６４は第１の回転掛合構造１６４１を有している。そして、第１回転体１６２の第１の回転係合構造１６２１を長形のソケット本体１６４の第１の回転掛合構造１６４１に押し付けた状態で、第１回転体１６２を回転させることにより長形のソケット本体１６４に第１回転体１６２を取り付けることができる。
【００３２】
本実施形態では、第２回転コネクタ１７は、第２蓋体１７１、第２回転体１７２、第２弾性部材１７３及び短形のソケット本体１７４を含み、第２回転体１７２の内側と短形のソケット本体１７４が回転係合し、第２弾性部材１７３は第２回転体１７２と短形のソケット本体１７４の間に位置し、第２蓋体１７１は、第２回転体１７２の外側に位置して第２回転体１７２と係合している。このような構造の第２回転コネクタ１７を用いることにより、ドライバやナット等の工具を使用することなく、照明装置１の分解及び組立てがより容易になるという利点がある。
【００３３】
本実施形態において、短形のソケット本体１７４の長手方向の断面形状は円形であり、当該円形の半径は灯管１１の長手方向の断面形状の略円形の半径よりも僅かに大きく設計されている。このため、図２及び図４に示す通り、短形のソケット本体１７４に対して灯管１１がきっちりと嵌め込まれるようになっている。
【００３４】
本実施形態では、第２回転体１７２は、第２の回転係合構造１７２１を有し、短形のソケット本体１７４は第２の回転掛合構造１７４１を有している。そして、第２回転体１７２の第２の回転係合構造１７２１を長形のソケット本体１７４の第２の回転掛合構造１７４１に押し付けた状態で、第２回転体１６２を回転させることにより短形のソケット本体１７４に第２回転体１７２を取り付けることができる。前述の第１弾性部材１６３及び第２弾性部材１７３はバネであってもよい。
【００３５】
本実施形態では、灯管１１は上管部１１１と下管部１１２を含み、上管部１１１は、下管部１１２に連結されている。上菅部１１１の長手方向に垂直な断面は、中心角が２４０°以上３００°以下の略円形であり、下管部１１２の長手方向に数直な断面は、中心角が６０°以上１２０°以下の略円形である。そして、ベース１２は、下菅部１１２に取り付けられる。このような断面形状の下菅部１１２を用い、当該下菅部１１２にベース１２を取り付けることにより照明装置１の照射範囲を広げることができ、照明性能を高めることができる。いくつかの実施形態では、灯管１１を一体的に形成してもよい。
【００３６】
本実施形態において、ベース１２は凹溝１２１を含み、照明テープ１３は凹溝１２１内に位置し、複数の反射シート１４は凹溝１２１の外側に面している。
【００３７】
本実施形態では、ベース１２は、上管部１１１と下管部１１２の間に設けられ、凹溝１２１の両側に配置される溝レール１２２を更に含む。
【００３８】
本発明の権利保護の範囲は、上記の本明細書に記載された実施形態のみに限定されるものではないことに留意すべきである。したがって、本発明の革新的な概念によれば、上述の技術は、本明細書に記載された実施形態のみに限られず、本明細書の内容及び図面から理解される内容に対して直接的又は間接的に修正又は変更を加えた均等の構造物にも適用されるべきものであり、本発明の解決策は、特許請求の範囲に含まれる限りにおいて他の関連技術の分野にも応用することができる。
【符号の説明】
【００３９】
１  照明装置
１１  灯管
１１１  上菅部
１１２  下菅部
１２  ベース
１２１  凹溝
１２２  溝レール
１３  照明テープ
１３１  発光部材
１３２  基板
１４  反射シート
１５  電源
１６  第１回転カバー
１６１  第１蓋体
１６２  第１回転体
１６２１  第１の回転係合構造
１６３  第１弾性部材
１６４  長形のソケット本体
１６４１  第１回転掛合構造
１７  第２回転カバー
１７１  第２蓋体
１７２  第２回転体
１７２１  第２の回転係合構造
１７３  第２弾性部材
１７４  短形のソケット本体
１７４１  第２回転掛合構造
【図１】
2020167134.tif 000003
【図２】
2020167134.tif 000004
【図３】
2020167134.tif 000005
【図４】
2020167134.tif 000006
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
灯管、前記灯管内に配置されるベース、及び前記ベースに配置される照明テープを含み、
前記灯管の一方の側に第１回転コネクタが設けられ、前記灯管の他方の側に第２回転コネクタが設けられ、前記照明テープの基板上に複数の反射シートが付着しており、
前記ベースは凹溝を含み、前記照明テープは前記凹溝内に位置し、前記複数の反射シートは前記凹溝の内側に延びる部分の先端に面しており、
前記第１回転コネクタは長形の回転カバーであり、前記第２回転コネクタは短形の回転カバーであり、
前記長形の回転カバーは、第１蓋体、第１回転体、第１弾性部材及び長形のソケット本体を含み、前記第１回転体の内側と前記長形のソケット本体が回転係合し、前記第１弾性部材は前記第１回転体と前記長形のソケット本体の間に位置し、
前記第１蓋体は、前記第１回転体の外側に位置して前記第１回転体と係合し、
前記長形の回転カバー側の灯管内に、前記照明テープに電気的に接続された電源が配置され、
前記短形の回転カバーは、第２蓋体、第２回転体、第２弾性部材及び短形のソケット本体を含み、前記第２回転体の内側と前記短形のソケット本体が回転係合し、前記第２弾性部材は前記第２回転体と前記短形のソケット本体の間に位置し、
前記第２蓋体は、前記第２回転体の外側に位置して前記第２回転体と係合することを特徴とする回転コネクタ及び反射シートを備える照明装置。
【請求項２】
前記照明テープは複数のＬＥＤチップと基板を含み、前記ＬＥＤチップは延伸方向に沿って前記基板上に配列されており、前記複数の反射シートは前記複数のＬＥＤチップの両側に位置していることを特徴とする請求項１に記載の回転コネクタ及び反射シートを備える照明装置。
【請求項３】
前記灯管は上管部と下管部を含み、前記ベースは前記上管部と前記下管部の間に設けられることを特徴とする請求項１に記載の回転コネクタ及び反射シートを備える照明装置。
【請求項４】
前記ベースは、前記凹溝の両側に配置されるレールを更に含むことを特徴とする請求項３に記載の回転コネクタ及び反射シートを備える照明装置。
【請求項５】
前記第１回転体は第１の回転係合構造を有し、前記長形のソケット本体は第１の回転掛合構造を有することを特徴とする請求項１に記載の回転コネクタ及び反射シートを備える照明装置。
【請求項６】
前記第２回転体は第２の回転係合構造を有し、前記短形のソケット本体は第２の回転掛合構造を有することを特徴とする請求項１に記載の回転コネクタ及び反射シートを備える照明装置。
【手続補正２】
【補正対象書類名】明細書
【補正対象項目名】０００９
【補正方法】変更
【補正の内容】
【０００９】
上記問題に鑑みて、本発明の一実施形態の回転コネクタ及び反射シートを備える照明装置は、灯管、前記灯管内に配置されるベース、及び前記ベースに配置される照明テープを含み、前記灯管の一方の側に第１回転コネクタが設けられ、前記灯管の他方の側に第２回転コネクタが設けられ、前記照明テープの基板上に複数の反射シートが貼り付けられている。前記ベースは凹溝を含み、前記照明テープは前記凹溝内に位置し、前記複数の反射シートは前記凹溝の内側に延びる部分の先端に面している。前記第１回転コネクタは長形の回転カバーであり、前記第２回転コネクタは短形の回転カバーであり、前記長形の回転カバーは、第１蓋体、第１回転体、第１弾性部材及び長形のソケット本体を含み、前記第１回転体の内側と前記長形のソケット本体が回転係合し、前記第１弾性部材は前記第１回転体と前記長形のソケット本体の間に位置している。前記第１蓋体は、前記第１回転体の外側に位置して前記第１回転体と係合している。前記長形の回転カバー側の灯管内に、前記照明テープに電気的に接続された電源が配置され、前記短形の回転カバーは、第２蓋体、第２回転体、第２弾性部材及び短形のソケット本体を含み、前記第２回転体の内側と前記短形のソケット本体が回転係合し、前記第２弾性部材は前記第２回転体と前記短形のソケット本体の間に位置している。前記第２蓋体は、前記第２回転体の外側に位置して前記第２回転体と係合している。
【手続補正３】
【補正対象書類名】明細書
【補正対象項目名】００１２
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１７
【補正方法】削除
【補正の内容】